(57)【要約】【課題】無線通信システムにおけるＮＲのためのエネルギーセービングメカニズムをサポートする方法及び装置を提供する。【解決手段】ＮＲ（ｎｅｗ  ｒａｄｉｏ  ａｃｃｅｓｓ  ｔｅｃｈｎｏｌｏｇｙ）のためのエネルギーセービングメカニズムのうち一つとして、本発明によるパワーセービング状態が定義されることができる。より詳しくは、ＵＥは、活性状態に進入し、活性状態に対して第１のＲＦ帯域幅をモニタし、パワーセービング状態に進入し、パワーセービング状態に対して第１のＲＦ帯域幅内でＭ  ＭＨｚに制限された第２のＲＦ帯域幅をモニタする。【選択図】図９
2019531034.tif 000002
【特許請求の範囲】
【請求項１】
無線通信システムにおけるＵＥ（ｕｓｅｒ  ｅｑｕｉｐｍｅｎｔ）がパワーセービング状態で動作するための方法において、
活性状態に進入し、
前記活性状態に対して第１のＲＦ（ｒａｄｉｏ  ｆｒｅｑｕｅｎｃｙ）帯域幅をモニタし、
前記パワーセービング状態に進入し、及び、
前記パワーセービング状態に対して前記第１のＲＦ帯域幅内でＭ  ＭＨｚに制限される第２のＲＦ帯域幅をモニタすることを含む方法。
【請求項２】
前記第１のＲＦ帯域幅は、最大ＵＥ  ＲＦ帯域幅に対応し、または、
前記第１のＲＦ帯域幅は、ネットワークにより構成されて前記第２のＲＦ帯域幅より広いＭ１  ＭＨｚに対応することを特徴とする請求項１に記載の方法。
【請求項３】
前記第２のＲＦ帯域幅は、ネットワークにより構成される基本最小帯域幅に対応し、または、
前記第２のＲＦ帯域幅は、初期システムサブバンドに対応することを特徴とする請求項１に記載の方法。
【請求項４】
前記第２のＲＦ帯域幅の周波数位置は、ネットワークにより構成されることを特徴とする請求項１に記載の方法。
【請求項５】
前記パワーセービング状態が活性化される間に対するタイマがネットワークにより構成されることを特徴とする請求項１に記載の方法。
【請求項６】
前記ＵＥがＤＲＸ（ｄｉｓｃｏｎｔｉｎｕｏｕｓ  ｒｅｃｅｐｔｉｏｎ）で構成される場合、前記ＵＥは、前記パワーセービング状態に自律的に進入することを特徴とする請求項１に記載の方法。
【請求項７】
前記ＵＥが制御チャネルをモニタして少なくともＫ回または特定時間区間Ｔ内にデータがスケジュールされないことを検出する場合、前記ＵＥは、前記パワーセービング状態に自律的に進入することを特徴とする請求項１に記載の方法。
【請求項８】
前記活性状態と前記パワーセービング状態の各々に対して互いに異なるヌメロロジーのセットが使われることを特徴とする請求項１に記載の方法。
【請求項９】
前記活性状態と前記パワーセービング状態の各々に対して互いに異なる制御チャネルリソースのセットが使われることを特徴とする請求項１に記載の方法。
【請求項１０】
制御リソースセットの帯域幅は、ＵＥ  ＲＦ帯域幅にかかわらず固定されることを特徴とする請求項１に記載の方法。
【請求項１１】
前記ＵＥが前記パワーセービング状態にある間に、前記第１のＲＦ帯域幅上でＲＲＭ（ｒａｄｉｏ  ｒｅｓｏｕｒｃｅ  ｍａｎａｇｅｍｅｎｔ）測定が実行されることを特徴とする請求項１に記載の方法。
【請求項１２】
システム帯域幅またはＵＥ間の共通ＰＲＢに基づいてリソースブロックグループ（ＲＢＧ；ｒｅｓｏｕｒｃｅ  ｂｌｏｃｋ  ｇｒｏｕｐ）が構成され、
前記第１のＲＦ帯域幅と前記第２のＲＦ帯域幅は、前記ＲＢＧに従うことを特徴とする請求項１に記載の方法。
【請求項１３】
前記第２のＲＦ帯域幅は、ダウンリンク（ＤＬ；ｄｏｗｎｌｉｎｋ）及びアップリンク（ＵＬ；ｕｐｌｉｎｋ）の各々のために両方とも使われることを特徴とする請求項１に記載の方法。
【請求項１４】
ＰＵＣＣＨ（ｐｈｙｓｉｃａｌ  ｕｐｌｉｎｋ  ｃｏｎｔｒｏｌ  ｃｈａｎｎｅｌ）のリソース位置は、ＰＵＣＣＨ送信のための前記第２のＲＦ帯域幅によって構成されることを特徴とする請求項１に記載の方法。
【請求項１５】
無線通信システムにおけるＵＥ（ｕｓｅｒ  ｅｑｕｉｐｍｅｎｔ）において、
メモリ、
送受信部、及び、
前記メモリ及び前記送受信部と連結されるプロセッサを含み、
前記プロセッサは、
活性状態に進入し、
前記活性状態に対して第１のＲＦ（ｒａｄｉｏ  ｆｒｅｑｕｅｎｃｙ）帯域幅をモニタするように前記送受信部を制御し、
前記パワーセービング状態に進入し、及び
前記パワーセービング状態に対して前記第１のＲＦ帯域幅内でＭ  ＭＨｚに制限される第２のＲＦ帯域幅をモニタするように前記送受信部を制御することを特徴とするＵＥ。
【発明の詳細な説明】
【技術分野】
【０００１】
本発明は、無線通信に関し、より詳しくは、無線通信システムにおけるＮＲ（ｎｅｗ  ｒａｄｉｏ  ａｃｃｅｓｓ  ｔｅｃｈｎｏｌｏｇｙ）のためのエネルギーセービングメカニズムをサポートする方法及び装置に関する。
【背景技術】
【０００２】
３ＧＰＰ  ＬＴＥは、高速パケット通信を可能とするための技術である。ＬＴＥ目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
より多くの通信機器がより大きい通信容量を要求するにつれて、既存の無線アクセス技術に比べて改善されたモバイル広帯域通信が必要である。また、多数の機器及びモノを連結していつでもどこでも多様なサービスを提供する巨大ＭＴＣ（ｍａｃｈｉｎｅ  ｔｙｐｅ  ｃｏｍｍｕｎｉｃａｔｉｏｎ）も次世代通信で考慮される主要案件のうち一つである。また、信頼性及び遅延に敏感なサービス／端末（ＵＥ；ｕｓｅｒ  ｅｑｕｉｐｍｅｎｔ）を考慮した通信システム設計が論議されている。このように向上したモバイル広帯域通信、巨大ＭＴＣ、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎ）などを考慮した次世代無線アクセス技術の導入が論議されており、便宜上、このような新しい無線アクセス技術は、ｎｅｗ  ＲＡＴまたはＮＲ（ｎｅｗ  ｒａｄｉｏ  ａｃｃｅｓｓ  ｔｅｃｈｎｏｌｏｇｙ）と呼ばれる。
【０００４】
ＮＲにおいて、アナログビームフォーミングが導入されることができる。ミリ波（ｍｍＷ）帯域では波長が短くなって同一面積に複数のアンテナが設置されることができる。例えば、３０ＧＨｚ帯域で、波長は１ｃｍであり、５×５ｃｍ２のパネルに０．５λ（波長）間隔に２次元配列形態で総１００個のアンテナ要素が設置されることができる。したがって、ｍｍＷ帯域では複数のアンテナ要素を使用してビームフォーミング（ｂｅａｍｆｏｒｍｉｎｇ）利得を高めてカバレッジを増加させ、または処理量（ｔｈｒｏｕｇｈｐｕｔ）を高めようとする。
【０００５】
この場合、アンテナ要素別に送信パワー及び位相調節が可能になるように送受信部（ＴＸＲＵ；ｔｒａｎｓｃｅｉｖｅｒ  ｕｎｉｔ）を有すると、周波数リソース別に独立的なビームフォーミングが可能である。しかし、およそ１００個のアンテナ要素の全てに送受信部を設置すると、コスト側面で実効性が落ちるという問題点がある。したがって、一つの送受信部に複数のアンテナ要素をマッピングし、アナログ移相器（ａｎａｌｏｇ  ｐｈａｓｅ  ｓｈｉｆｔｅｒ）でビームの方向を調節する方式が考慮されている。このようなアナログビームフォーミング方式は、全帯域にわたって一つのビーム方向のみを作るため、周波数選択的なビームフォーミングをすることができないという短所を有する。
【０００６】
デジタルビームフォーミングとアナログビームフォーミングの中間形態として、Ｑ個のアンテナ要素より少ない個数であるＢ個の送受信部を有するハイブリッドビームフォーミングを考慮することができる。この場合、Ｂ個の送受信部とＱ個のアンテナ要素の接続方式によって異なるが、同時に送信できるビームの方向はＢ個以下に制限される。
【０００７】
ＮＲを効率的に運営するために、多様な方式が論議された。
【発明の概要】
【発明が解決しようとする課題】
【０００８】
本発明は、無線通信システムにおいて、ＮＲ（ｎｅｗ  ｒａｄｉｏ  ａｃｃｅｓｓ  ｔｅｃｈｎｏｌｏｇｙ）のためのエネルギーセービングメカニズムをサポートする方法及び装置を提供する。本発明は、エネルギー効率的な制御／データチャネル処理メカニズムをサポートするためのメカニズムを議論する。
【課題を解決するための手段】
【０００９】
一態様において、無線通信システムにおけるＵＥ（ｕｓｅｒ  ｅｑｕｉｐｍｅｎｔ）がパワーセービング状態で動作するための方法が提供される。前記方法は、活性状態に進入し、前記活性状態に対して第１のＲＦ（ｒａｄｉｏ  ｆｒｅｑｕｅｎｃｙ）帯域幅をモニタし、前記パワーセービング状態に進入し、及び前記パワーセービング状態に対して前記第１のＲＦ帯域幅内でＭ  ＭＨｚに制限される第２のＲＦ帯域幅をモニタすることを含む。
【００１０】
他の態様において、無線通信システムにおけるＵＥ（ｕｓｅｒ  ｅｑｕｉｐｍｅｎｔ）が提供される。前記ＵＥは、メモリ、送受信部、及び前記メモリ及び前記送受信部と連結されるプロセッサを含む。前記プロセッサは、活性状態に進入し、前記活性状態に対して第１のＲＦ（ｒａｄｉｏ  ｆｒｅｑｕｅｎｃｙ）帯域幅をモニタするように前記送受信部を制御し、前記パワーセービング状態に進入し、及び前記パワーセービング状態に対して前記第１のＲＦ帯域幅内でＭ  ＭＨｚに制限される第２のＲＦ帯域幅をモニタするように前記送受信部を制御する。
【発明の効果】
【００１１】
ＮＲにおいて、ＵＥ（ｕｓｅｒ  ｅｑｕｉｐｍｅｎｔ）のバッテリ消耗がセービングされることがきる。
【図面の簡単な説明】
【００１２】
【図１】３ＧＰＰ  ＬＴＥシステムを示す。
【図２】３ＧＰＰ  ＬＴＥの無線フレームの構造を示す。
【図３】一つのダウンリンクスロットに対するリソースグリッド（ｒｅｓｏｕｒｃｅ  ｇｒｉｄ）を示す。
【図４】ＮＲに対するサブフレームタイプの例を示す。
【図５】異なるヌメロロジー間のシンボルレベル整列の例を示す。
【図６】異なるヌメロロジー間のシンボルレベル整列の他の例を示す。
【図７】異なるヌメロロジー間のスロット／サブフレームレベル整列の例を示す。
【図８】本発明の実施例に係るパワーセービング状態の例を示す。
【図９】本発明の一実施例に係るＵＥによるパワーセービング状態で動作する方法を  示す。
【図１０】本発明の一実施例を具現するための無線通信システムを示す。
【発明を実施するための形態】
【００１３】
図１は、３ＧＰＰ  ＬＴＥシステムを示す。３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）システム１０は、少なくとも一つのｅＮＢ（ｅｖｏｌｖｅｄ  ＮｏｄｅＢ）１１を含む。各ｅＮＢ１１は、特定の地理的領域（一般的にセルという）１５ａ、１５ｂ、１５ｃに対して通信サービスを提供する。また、各セルは、多数の領域（セクターという）に分けられる。端末（ＵＥ；ｕｓｅｒ  ｅｑｕｉｐｍｅｎｔ）１２は、固定されてもよいし、移動性を有してもよく、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。ｅＮＢ１１は、一般的にＵＥ１２と通信する固定局を意味し、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることもある。
【００１４】
ＵＥは、通常１つのセルに属するが、ＵＥが属したセルをサービングセル（ｓｅｒｖｉｎｇ  ｃｅｌｌ）という。サービングセルに対して通信サービスを提供するｅＮＢをサービングｅＮＢという。無線通信システムは、セルラーシステムであるから、サービングセルに隣接する他のセルが存在する。サービングセルに隣接する他のセルを隣接セル（ｎｅｉｇｈｂｏｒ  ｃｅｌｌ）という。隣接セルに対して通信サービスを提供するｅＮＢを隣接ｅＮＢという。サービングセル及び隣接セルは、ＵＥを基準として相対的に決定される。
【００１５】
この技術は、ＤＬまたはＵＬに使用されることができる。一般に、ＤＬは、ｅＮＢ１１からＵＥ１２への通信を意味し、ＵＬは、ＵＥ１２からｅＮＢ１１への通信を意味する。ＤＬにおいて送信機は、ｅＮＢ１１の一部であり、受信機は、ＵＥ１２の一部でありうる。ＵＬにおいて送信機は、ＵＥ１２の一部であり、受信機は、ｅＮＢ１１の一部でありうる。
【００１６】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうち、いずれか１つでありうる。ＭＩＭＯシステムは、複数の送信アンテナと複数の受信アンテナを使用する。ＭＩＳＯシステムは、複数の送信アンテナと１つの受信アンテナを使用する。ＳＩＳＯシステムは、１つの送信アンテナと１つの受信アンテナを使用する。ＳＩＭＯシステムは、１つの送信アンテナと複数の受信アンテナを使用する。以下において、送信アンテナは、１つの信号またはストリームを送信するのに使用される物理的または論理的アンテナを意味し、受信アンテナは、１つの信号またはストリームを受信するのに使用される物理的または論理的アンテナを意味する。
【００１７】
図２は、３ＧＰＰ  ＬＴＥの無線フレームの構造を示す。図２を参照すると、無線フレームは、１０個のサブフレームを含む。サブフレームは、時間領域で２個のスロットを含む。上位階層により一つのトランスポートブロックを物理階層に送信する時間は、（一般的に一つのサブフレームにわたって）ＴＴＩ（ｔｒａｎｓｍｉｓｓｉｏｎ  ｔｉｍｅ  ｉｎｔｅｒｖａｌ）と定義される。例えば、一つのサブフレームは、１ｍｓの長さを有することができ、一つのスロットは、０．５ｍｓの長さを有することができる。一つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ））シンボルを含む。３ＧＰＰ  ＬＴＥは、ＤＬでＯＦＤＭＡを使用するため、ＯＦＤＭシンボルは、一つのシンボル周期を表現するためのものである。ＯＦＤＭシンボルは、多重アクセス方式によって他の名称とも呼ばれる。例えば、ＳＣ−ＦＤＭＡがＵＬ多重アクセス方式として使われる場合、ＯＦＤＭシンボルは、ＳＣ−ＦＤＭＡシンボルとも呼ばれる。リソースブロック（ＲＢ；ｒｅｓｏｕｒｃｅ  ｂｌｏｃｋ）は、リソース割当単位であり、一つのスロットに複数の連続された（ｃｏｎｔｉｇｕｏｕｓ）副搬送波を含む。例示的な目的のみのために無線フレームの構造が図示される。したがって、無線フレームに含まれるサブフレームの数またはサブフレームに含まれるスロットの数またはスロットに含まれるＯＦＤＭシンボルの数は、多様に変更されることができる。
【００１８】
無線通信システムは，ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式に区分されることができる。ＦＤＤ方式によると、アップリンク送信とダウンリンク送信は、互いに異なる周波数帯域で行われる。ＴＤＤ方式によると、ＵＬ送信とＤＬ送信は、同じ周波数帯域で互いに異なる時間間隔で行われる。ＴＤＤ方式のチャネル応答は、実質的に相互逆（ｒｅｃｉｐｒｏｃａｌ）である。これは与えられた周波数帯域でＤＬチャネル応答及びＵＬチャネル応答がほとんど同じであることを意味する。したがって、ＴＤＤベースの無線通信システムは、ＵＬチャネル応答からＤＬチャネル応答を得ることができるという長所がある。ＴＤＤ方式は、全体周波数帯域がＵＬ及びＤＬ送信のために時分割されるため、ｅＮＢによるＤＬ送信とＵＥによるＵＬ送信を同時に実行することができない。ＵＬ送信とＤＬ送信がサブフレーム単位で区別されるＴＤＤシステムで、ＵＬ送信とＤＬ送信は、異なるサブフレームで実行される。ＴＤＤシステムにおいて、ＤＬとＵＬとの間の高速スイッチングを可能にするために、ＴＤＭ（ｔｉｍｅ  ｄｉｖｉｓｉｏｎ  ｍｕｌｔｉｐｌｅｘｉｎｇ）／ＦＤＭ（ｆｒｅｑｕｅｎｃｙ  ｄｉｖｉｓｉｏｎ  ｍｕｌｔｉｐｌｅｘｉｎｇ）方式で同じサブフレーム／スロット内でＵＬ及びＤＬ送信が実行されることができる。
【００１９】
図３は、一つのダウンリンクスロットに対するリソースグリッド（ｒｅｓｏｕｒｃｅ  ｇｒｉｄ）を示す。図３を参照すると、ＤＬスロットは、時間領域で多数のＯＦＤＭシンボルを含む。ここで、例示として、一つのＤＬスロットは、７個のＯＦＤＭシンボルを含み、一つのＲＢは、周波数領域で１２個の副搬送波を含むと述べられる。しかし、本発明は、これに限定されるものではない。リソースグリッドの各要素は、リソース要素（ＲＥ；ｒｅｓｏｕｒｃｅ  ｅｌｅｍｅｎｔ）という。一つのＲＢは、１２×７または１２×１４リソース要素を含む。ＤＬスロットに含まれるＲＢの数ＮＤＬは、ＤＬ送信帯域幅によって決まる。ＵＬスロットの構造は、ＤＬスロットの構造と同じである。ＯＦＤＭシンボルの数と副搬送波の数は、ＣＰの長さ、周波数間隔などによって変わることができる。例えば、一般ＣＰ（ｎｏｒｍａｌ  ｃｙｃｌｉｃ  ｐｒｅｆｉｘ）の場合、ＯＦＤＭシンボルの個数は７個または１４個であり、拡張ＣＰの場合、ＯＦＤＭシンボルの個数は６個または１２個である。一つのＯＦＤＭシンボルで、１２８、２５６、５１２、１０２４、１５３６、２０４８、４０９６及び８１９２のうち一つを副搬送波の個数として選択的に使用することができる。
【００２０】
５世代モバイルネットワークまたは５世代無線システムは、５Ｇと略称し、現在の４Ｇ  ＬＴＥ／ＩＭＴ（ｉｎｔｅｒｎａｔｉｏｎａｌ  ｍｏｂｉｌｅ  ｔｅｌｅｃｏｍｍｕｎｉｃａｔｉｏｎｓ）標準以後に提案された次世代通信標準である。５Ｇは、新しい無線アクセス技術（ｎｅｗ  ＲＡＴまたはＮＲ）とＬＴＥ進化（ｅｖｏｌｕｔｉｏｎ）を両方とも含む。以下では、５Ｇのうち、ＮＲに焦点を合わせる。５Ｇプランニングは、現在の４Ｇ  ＬＴＥより高い容量を目標とし、モバイル広帯域ユーザの密度を高め、機器−対−機器、高−信頼（ｕｌｔｒａ−ｒｅｌｉａｂｌｅ）及び大規模マシン通信（ｍａｓｓｉｖｅ  ｍａｃｈｉｎｅ  ｃｏｍｍｕｎｉｃａｔｉｏｎｓ）をサポートする。また、５Ｇ研究開発は、モノのインターネットをよく具現するために、４Ｇ装備より低い遅延と低いバッテリ消耗を目標とする。
【００２１】
ＮＲに対しては異なるフレーム構造が必要であると予想される。特に、全てのサブフレームでＵＬ及びＤＬが存在でき、または同じ搬送波で非常に頻繁に変更されることができる異なるフレーム構造がＮＲに必要である。異なるアプリケーションは、異なる遅延及びカバレッジ要件をサポートするために、ＤＬまたはＵＬ部分の異なる最小大きさを必要とする。例えば、高いカバレッジのためのｍＭＴＣ（ｍａｓｓｉｖｅ  ｍａｃｈｉｎｅ−ｔｙｐｅ  ｃｏｍｍｕｎｉｃａｔｉｏｎ）は、一つの送信が成功的に送信されることができるように比較的長いＤＬ及びＵＬ部分を要求することができる。また、同期化及び追跡正確度要件に対する異なる要件により、異なる副搬送波間隔及び／または異なるＣＰ長さが考慮されることができる。このような意味で、同じ搬送波で共存する異なるフレーム構造を許容し、同じセル／ｅＮＢで作動できるメカニズムを考慮しなければならない。
【００２２】
ＮＲにおいて、ダウンリンク及びアップリンクが含まれるサブフレームを利用することが考慮されることができる。この方式は、対（ｐａｉｒｅｄ）スペクトラム及び不対（ｕｎｐａｉｒｅｄ）スペクトラムに適用されることができる。対スペクトラムは、一つの搬送波が二つの搬送波で構成されることを意味する。例えば、対スペクトラムで、一つの搬送波は、ＤＬ搬送波及びＵＬ搬送波を含むことができ、これは相互ペアリングされる。対スペクトラムで、ＤＬ、ＵＬ、機器−対−機器通信及び／またはリレイ通信のような通信は、対スペクトラムを利用して実行されることができる。不対スペクトラムは、現在の４Ｇ  ＬＴＥのように一つの搬送波がただ一つの搬送波で構成されることを意味する。不対スペクトラムで、ＤＬ、ＵＬ、機器−対−機器通信及び／またはリレイ通信のような通信は、不対スペクトラム内で実行されることができる。
【００２３】
また、ＮＲでは、下記のようなサブフレームタイプが対スペクトラムと不対スペクトラムをサポートすることと考慮されることができる。
【００２４】
（１）ＤＬ制御及びＤＬデータを含むサブフレーム
【００２５】
（２）ＤＬ制御、ＤＬデータ及びＵＬ制御を含むサブフレーム
【００２６】
（３）ＤＬ制御及びＵＬデータを含むサブフレーム
【００２７】
（４）ＤＬ制御、ＵＬデータ及びＵＬ制御を含むサブフレーム
【００２８】
（５）アクセス信号またはランダムアクセス信号または他の目的を含むサブフレーム
【００２９】
（６）ＤＬ／ＵＬ及び全てのＵＬ信号を含むサブフレーム
【００３０】
しかし、前記羅列されたサブフレームタイプは、単に例示に過ぎず、他のサブフレームタイプも考慮されることができる。
【００３１】
図４は、ＮＲに対するサブフレームタイプの例を示す。図４に示すサブフレームは、データ送信の遅延を最小化するために、ＮＲのＴＤＤシステムで使われることができる。図４を参照すると、前記サブフレームは、現在のサブフレームのように、一つのＴＴＩで１４個のシンボルを含む。しかし、サブフレームは、１番目のシンボルのＤＬ制御チャネル及び最終シンボルのＵＬ制御チャネルを含む。残りのシンボルは、ＤＬデータ送信またはＵＬデータ送信のために使われることができる。このサブフレーム構造によると、ＤＬ送信とＵＬ送信は、一つのサブフレームで順次に進行されることができる。したがって、サブフレーム内でＤＬデータが送信されることができ、サブフレーム内でＵＬ  ＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）が受信されることもできる。このような方式で、図４に示すサブフレームは、セルフコンテインド（ｓｅｌｆ−ｃｏｎｔａｉｎｅｄ）サブフレームということができる。結果的に、データ送信エラーが発生する場合、データを再送信にかかる時間が減って最終データ送信遅延が最小化される。セルフコンテインドサブフレーム構造において、送信モードから受信モードにまたは受信モードから送信モードへの移行過程に時間ギャップ（ｔｉｍｅ−ｇａｐ）が必要である。そのために、サブフレーム構造において、ＤＬからＵＬにスイッチする時の一部ＯＦＤＭシンボルは、ガード期間（ＧＰ；ｇｕａｒｄ  ｐｅｒｉｏｄ）に設定されることができる。
【００３２】
互いに異なるヌメロロジーは、シンボルレベルまたはスロット／サブフレームレベルに整列されることができる。一般ＣＰにおいて、シンボルレベル整列は、多様なオプションにより達成されることができる。以下の説明において、Ｆｓ＝Ｆ０＊２ｎ（ｎは、正の整数、Ｆ０＝１５ｋＨｚ）に対して、Ｆ０の各シンボル長さ（ＣＰ含む）は、Ｆｓの該当２ｎシンボルの和と同じである。
【００３３】
図５は、異なるヌメロロジー間のシンボルレベル整列の例を示す。図５を参照すると、Ｆｓの最初２ｎシンボルは、同じシンボル長さを有する。
【００３４】
図６は、異なるヌメロロジー間のシンボルレベル整列の他の例を示す。図６−（ａ）を参照すると、Ｆｓの１番目のシンボルを除いて、Ｆｓの全てのシンボルは同じシンボル長さを有する。Ｆｓの１番目のシンボルの長さは、２番目のシンボルの長さと０．５１ｕｓの和である。図６−（ｂ）において、０．５１ｕｓが予約（ｒｅｓｅｒｖｅ）されており、全てのシンボルは同じ長さを有する。
【００３５】
図７は、異なるヌメロロジー間のスロット／サブフレームレベル整列の例を示す。図７を参照すると、異なるヌメロロジーは、シンボルレベル整列の代りに、スロット／サブフレームレベルに整列される。
【００３６】
ＮＲでは、特に制御チャネル及びデータチャネルがＴＤＭ（ｔｉｍｅ  ｄｉｖｉｓｉｏｎ  ｍｕｌｔｉｐｌｅｘｉｎｇ）方式またはＦＤＭ（ｆｒｅｑｕｅｎｃｙ  ｄｉｖｉｓｉｏｎ  ｍｕｌｔｉｐｌｅｘｉｎｇ）方式にスケジューリングされる場合、エネルギーセービングを考慮する必要がある。特に、エネルギーセービングのために下記の事項を考慮しなければならない。
【００３７】
−ＵＥ  ＤＬ受信エネルギー消費の影響は、主に総電力消費を考慮して研究されなければならない。例えば、グラントがない状態で（ｉｎ  ｌａｃｋ  ｏｆ  ｇｒａｎｔ）物理階層ＤＬ制御ブラインドデコーディングでＵＥデコーディング電力消費が研究されることができる。例えば、データを有するスロット内のＵＥデコーディング電力消費が研究されることができる。例えば、データ受信プロセスでＵＥデコーディング電力消費が研究されることができる。例えば、測定でＵＥデコーディング電力消費が研究されることができる。例えば、同期化信号（ＳＳ；ｓｙｎｃｈｒｏｎｉｚａｔｉｏｎ  ｓｉｇｎａｌ）ブロックでＵＥデコーディング電力消費が研究されることができる。
【００３８】
−ＵＥ電力減少技法も研究されなければならない。
【００３９】
本発明は、主にパワーセービング（ｐｏｗｅｒ  ｓａｖｉｎｇ）側面、特に制御チャネル及びデータチャネルモニタリング手順に重点をおく。データ受信時、一般的な手順は、下記の通りである。
【００４０】
（１）制御チャネルモニタリング（制御チャネルブラインド検出）：まず、制御チャネルに対するチャネル推定が実行された後、制御チャネルブラインド検出が実行される。
【００４１】
（２）制御チャネルモニタリングを実行する間に、データ部分受信の格納
【００４２】
（３）ＤＬデータがスケジューリングされると、データデコーディングを開始
【００４３】
ＵＬグラントがスケジューリングされると、ＵＬデータ送信準備が始まることができる。
【００４４】
全体電力消費を最小化するために、下記接近法のうち少なくとも一つが考慮されることができる。
【００４５】
（１）自律ＤＲＸ（ｄｉｓｃｏｎｔｉｎｕｏｕｓ  ｒｅｃｅｐｔｉｏｎ）またはパワーセービング状態が構成され、または始まることができる。一般的に、パワーセービング状態を開始するタイマが使われることができる。パワーセービング状態の一例は、ＵＥが送信のために使われ、またはモニタする必要がある帯域幅を減少させるものである。
【００４６】
（２）活性状態に比べてＤＲＸ／パワーセービング状態での異なる動作が定義されることができる。
【００４７】
（３）制御チャネル領域とデータチャネル領域との間の十分のギャップが許容されることができるため、データ受信開始前に制御チャネルデコーディングが完了することができる。このような方式により、ＵＥは、制御チャネルを処理する間にデータ受信を格納し、またはモニタする必要がない。ＵＥは、実際送信がある場合にのみデータを読み込むことができる。したがって、バッファリング時のパワーセービングを図ることができる。
【００４８】
（４）制御チャネル及び／またはデータチャネルの処理を最小化するために制御チャネル及び／またはデータチャネル領域が最小化されることができる。特に、ＤＲＸ／パワーセービング状態に使われる帯域幅と活性状態に使われる帯域幅は、互いに異なる。ＤＲＸ／パワーセービング状態のために基本帯域幅（これは非常に小さく、例えば、ＵＥ最小帯域幅）が使われることができる。
【００４９】
（５）浪費を最小化するためにスケジューリングされたデータがあるかどうかが指示されることができる。
【００５０】
本発明は、ＵＥが活性状態と異なるように動作するパワーセービング状態を可能にするために、下記のような接近法のうち一つを提案する。
【００５１】
（１）履歴に基づいたＵＥ自律パワーセービング状態へのスイッチ：例えば、ＵＥがＤＲＸで構成される場合、ＵＥは、パワーセービング状態または効率的な制御チャネルモニタリング状態に自発的にスイッチできる。他の例として、ＵＥが少なくてもＫ回または一定時間区間の間にデータがスケジューリングされない制御チャネル領域をモニタしたということをＵＥが検出した場合、ＵＥは、自発的にパワーセービング状態をトリガすることができる。Ｋは、ＵＥがデータまたはＵＬグラントを有する制御チャネルを受信するたびにリセットされることができる。一方、ＵＥは、制御チャネルをミスすることができるため、Ｋ回のデータ−ない（ｄａｔａ−ｌｅｓｓ）制御チャネルを検出する区間は、ＵＥ及びネットワーク観点によって異なる。即ち、制御チャネル上のＵＥ検出に基づいて任意の動作変化が発生する場合、ＵＥ動作の観点で曖昧性（ａｍｂｉｇｕｉｔｙ）が発生できる。
【００５２】
（２）ネットワークは、各ＵＥにパワーセービング状態または効率的な制御チャネルモニタリング状態を構成する。例えば、タイマが構成されることができ、ＵＥは、タイマが満了されるたびにパワーセービング状態に戻ることができる。パワーセービング状態のために使われた基本帯域幅より活性状態またはより大きい帯域幅でＵＥを再構成することが明示的に指示されることができる。タイマは、ＵＥが新しい帯域幅（ＢＷＰ（ｂａｎｄｗｉｄｔｈ  ｐａｒｔ）と呼ばれる）で再構成されるたびにまたはＵＥに任意のスケジューリングがあるたびにリセットされることができる。その代案として、スケジューラまたはＢＷＰ再構成活動（ｒｅｃｏｎｆｉｇｕｒａｔｉｏｎ  ａｃｔｉｖｉｔｙ）にかかわらずタイマが実行されることができる。
【００５３】
より一般的に、ＵＥは、ＤＲＸタイマと類似しているようにパワーセービング状態が活性化される間を示すタイマを有することができる。パワーセービング状態のタイマ／期間（ｐｅｒｉｏｄ）／区間は、ネットワークにより構成されることができる。また、ＵＥが活性状態に戻る必要があるかどうかをチェックするためにパワーセービングモード活性状態（“ＰＳＭ＿ａｃｔｉｖｅ”）が発生できる。特に、本発明に対して下記の状態が定義されることができる。
【００５４】
（１）パワーセービング状態：パワーセービング状態で、ＵＥ  ＲＦ（ｒａｄｉｏ  ｆｒｅｑｕｅｎｃｙ）帯域幅は、Ｍ  ＭＨｚに制限されることができる。Ｍ  ＭＨｚ帯域幅の周波数位置（例えば、中心／帯域幅）は、上位階層によりあらかじめ定義または構成されることができる。詳細な内容は、以下で説明する。Ｍ  ＭＨｚは、基本ＵＥサブバンドまたは基本ＵＥ  ＲＦ帯域幅または基本ＰＳＭ帯域幅または基本ＢＷＰということができる。ＵＥが活性状態に変更されない限り、ＵＥモニタリング帯域幅は、Ｍ  ＭＨｚに制限されることができる。その代案として、ＵＥは、タイマに基づいてパワーセービング状態を抜け出すことができる。その代案として、ＵＥは、パワーセービング状態スイッチから明示的なスイッチングメカニズム／指示を介して送信のために、ＵＥがモニタ／使用する帯域幅へ移動できる。例えば、スケジューリングＤＣＩが基本ＢＷＰとは異なる活性化されるＤＷＰを指示することができる
【００５５】
（２）活性状態：活性状態で、ＵＥ  ＲＦ帯域幅（即ち、ＢＷＰ）は、上位階層により最大ＵＥ  ＲＦ帯域幅またはＭ１（Ｍ１＞Ｍ）ＭＨｚのうち一つで構成されることができる。一つ以上のＢＷＰが構成されることができる。一つ以上の構成されたＢＷＰが活性化されることができ、一般的に活性状態の間に活性化されたＢＷＰは、基本ＢＷＰより大きい帯域幅を有することができる。構成された帯域幅内で制御チャネル及びデータチャネルがスケジューリングされることができる。異なるように構成されない限り、活性状態で、ＵＥモニタリング帯域幅は、構成されたＵＥ  ＲＦ帯域幅である。
【００５６】
（３）ＰＳＭ活性状態：ＰＳＭ活性状態で、ＵＥは、活性状態で構成された帯域幅で制御／データチャネルをモニタすることができる。ＰＳＭ活性状態の間に、ＵＥがＭ  ＭＨｚを超えるデータスケジューリングまたは制御を検出すると、ＵＥは、活性状態に再びスイッチできる。それ以外の場合、ＵＥは、パワーセービング状態を維持することができる。ＰＳＭ活性状態の区間は、上位階層により構成されることもできる。ＰＳＭ活性状態は、時間によりトリガされることができる。または、ＰＳＭ活性状態は、動的または準−静的（ｓｅｍｉ−ｓｔａｔｉｃ）シグナリングまたはＭＡＣ（ｍｅｄｉａ  ａｃｃｅｓｓ  ｃｏｎｔｒｏｌ）ＣＥ（ｃｏｎｔｒｏｌ  ｅｌｅｍｅｎｔ）シグナリングを介してネットワークによりトリガされることができる。
【００５７】
ＵＥは、パワーセービング状態及び活性状態で使われる異なるヌメロロジーのセットで構成されることができる。また、ＵＥは、パワーセービング状態及び活性状態で使われる異なる制御リソースセットで構成されることができる。その代案として、ＵＥは、多数の制御リソースセットで構成されることができ、多数の制御リソースセットのうち一部リソースセットは、パワーセービング状態で非活性化されることができる。即ち、暗示的または明示的構成により制御チャネルに対して設定されたモニタリングリソースは、パワーセービング状態及び活性状態で異なる。暗示的構成が使われる場合、ＵＥは、パワーセービング状態に対して構成された最小または基本帯域幅（即ち、パワーセービング状態で使われるリソース領域または帯域幅）に属する検索空間候補をモニタすることができる。
【００５８】
図８は、本発明の実施例に係るパワーセービング状態の例を示す。図８を参照すると、パワーセービング状態は、ＤＲＸ動作と類似しているように動作する。活性状態で、ＵＥは、最大ＵＥ  ＲＦ帯域幅または構成されたＵＥ  ＲＦ帯域幅であるＵＥ  ＲＦ帯域幅をモニタする。パワーセービング状態に移行（ｔｒａｎｓｉｔ）されると、ＵＥ  ＲＦ帯域幅は、活性状態のＵＥ  ＲＦ帯域幅と比較して狭いＵＥ  ＲＦ帯域幅に適応される。
【００５９】
パワーセービング状態または効率的な制御チャネルモニタリング状態で、ＵＥは、制御／データチャネルモニタリングで下記のように異なる接近法を取ることができる。
【００６０】
（１）接近法１：制御及び／またはデータチャネルに対して使用可能な帯域幅は、例えば、（上位階層により構成される）基本ＰＳＭ帯域幅または最小システム帯域幅に制限されることができる。このような接近法で、制御及び／またはデータチャネルに対するバッファリング要件を最小化することができる。制限された帯域幅の位置は、上位階層により構成され、または共通信号またはグループ特定信号／チャネルまたは以前スロット／サブフレームにより動的に表示されることができる。基本ＰＳＭ帯域幅は、ＵＥが初期アクセス（例えば、ＲＡＣＨ手順）を実行する初期システムサブ帯域または初期ＢＷＰである。このような接近法を介して、端末は、初期アクセス手順と同様に、ＲＲＭ（ｒａｄｉｏ  ｒｅｓｏｕｒｃｅ  ｍａｎａｇｅｍｅｎｔ）測定、同期信号及び共通制御／データを容易に取得できる。他の言及／構成がない限り、ＵＥは、初期システムサブバンドとして基本ＰＳＭ帯域幅をスイッチまたは仮定することができる。共通信号またはグループ−特定信号／チャネルが使われると、オーバーヘッドを最小化するために実際送信前にこの信号／チャネルが送信されることができる。即ち、少なくとも次のスロット／サブフレーム／ＴＴＩ送信時に制限された帯域幅が有効される。
【００６１】
（２）接近法２：クロス−サブフレーム／スロット／ＴＴＩスケジューリング、または制御チャネルとデータチャネルとの間のギャップ（ｇａｐ）
【００６２】
他の接近法として、制御チャネルモニタリングとデータチャネルモニタリングとの間に十分の時間を許容するために、クロスサブフレーム／スロット／ＴＴＩスケジューリングがサポートされることができる。制御チャネルが全体サブフレーム／スロット／ＴＴＩを介して送信される場合、クロスサブフレーム／スロット／ＴＴＩは、制御サブフレーム／スロット／ＴＴＩ及びデータサブフレーム／スロット／ＴＴＩ間にギャップを有することができる。ギャップは、ネットワークにより構成または固定されることができる。ＵＥは、要求されるギャップに対する自分の能力を報告することができる。
【００６３】
同様に、制御チャネルとデータチャネルとの間にギャップが設定または固定されたギャップが構成されることができる。例えば、制御チャネルとデータチャネルとの間に、Ｋ  ＯＦＤＭシンボルのギャップ（例えば、Ｋ＝３）が構成されることができる。ＵＥがパワーセービング状態でギャップを使用するかどうかが上位階層シグナリングにより構成されることができる。ギャップに対して、下記のオプションのうち少なくとも一つが考慮されることができる。
【００６４】
−効率的なマルチプレキシングを向上させたり可能にするために、ミニ−スロット大きさのうち一つとしてＫが定義されることができる。
【００６５】
−その代案として、ＵＥパワーセービングのために、ＵＥが制御チャネルと関連されたデータがない、またはＵＥがパワーセービング状態にあると推定（ｓｕｓｐｅｃｔ）される場合、ＵＥは、最初いくつかのＯＦＤＭシンボルをパンクチャリングしたり受信しない。ＵＥがＫ１スロット／ＴＴＩ／サブフレーム以上に対して“データスケジューリングない”を検出する場合、このような動作がトリガされることができる。その代案として、このような動作を上位階層で構成することもできる。また、ＫまたはＫ１を決定するためのタイマが構成されることができる。
【００６６】
−クロス−ミニ−スロット／ｓＴＴＩスケジューリングは、複数のミニ−スロット／ｓＴＴＩスケジューリングで実行されることができる。この場合、一つまたは複数のミニ−スロット／ｓＴＴＩに対し必要なギャップが構成されることができる
【００６７】
−ギャップが使われると、ネットワークとＵＥとの間にギャップが整列されなければならない。整列を達成するために、ＤＭ−ＲＳ（ｄｅｍｏｄｕｌａｔｉｏｎ  ｒｅｆｅｒｅｎｃｅ  ｓｉｇｎａｌ）または任意のデータ復調ＲＳ（ベース（ｂａｓｅ）ＲＳ）が送信されるＯＦＤＭシンボルは、固定されたり同じであると仮定されることができる。例えば、データ送信の１番目のＯＦＤＭシンボルでＤＭ−ＲＳを送信する代わりに、制御チャネルとデータチャネルとの間のギャップを考慮してデータ送信のＯＦＤＭシンボルでＤＭ−ＲＳを送信することができる。ＤＭ−ＲＳパターンがデータ送信の１番目のＯＦＤＭシンボルから始まり、またはパワーセービング目的のために制御チャネルとデータチャネルとの間のギャップを生成するために潜在的にＵＥによりパンクチャリングされることができる固定されたＤＭ−ＲＳ位置から始まると定義される場合、ネットワークは、ＵＥによりパンクチャリングされないＯＦＤＭシンボルで追加的なＤＭ−ＲＳを送信することができる。その代案として、ＤＬデータに対するＤＭ−ＲＳパターンは、ギャップを生成するためにパンクチャリングされることができないＯＦＤＭシンボルに固定されることができる。一般的に、この概念は、ベースＤＭ−ＲＳを伝送するＯＦＤＭシンボルがどのような方式に送信から省略され、またはパンクチャリングされる場合に拡張されることができる。この場合、ネットワークは、追加位置でベースＤＭ−ＲＳを送信することができる。この場合、追加ベースＤＭ−ＲＳの存在が動的及び／または半−静的に指示できる。前記ギャップは、ＤＣＩ（ｄｏｗｎｌｉｎｋ  ｃｏｎｔｒｏｌ  ｉｎｆｏｒｍａｔｉｏｎ）により動的に構成または指示できる。
【００６８】
また、本発明は、ＵＥが上位階層シグナリングまたは動的に動作を明示的に指示した場合にのみ任意のパワーセービング技法（ら）がパワーセービング状態または効率的な制御チャネルモニタリング状態に制限され、または活性化されることを提案する。また、ＵＥは、ＵＥ自発的決定が許容されると、暗示的に動作を活性化することができる。
【００６９】
ＵＥは、制御チャネルの検出をミスすることができ、これはＵＥとネットワークとの間の曖昧性を引き起こすことができる。ネットワークは、スケジューリングまたは任意のＵＥ動作を決定する観点で、制御チャネル誤検出（ｍｉｓ−ｄｅｔｅｃｔｉｏｎ）の可能性を許容しなければならない。誤検出を可能の限り減らすために、Ｋは、範囲、例えば、［１００−１２０］で構成されることができる。ＵＥは、データ−ない制御チャネルの受信がその値の範囲を超えると、パワーセービング状態を始めることができる。その代案として、曖昧性が問題になる場合、ＵＥは、任意の動作またはモード変更が発生するたびにネットワークにフィードバックを送信することができる。例えば、モード変更の表示は、ＰＲＡＣＨ（ｐｈｙｓｉｃａｌ  ｒａｎｄｏｍ  ａｃｃｅｓｓ  ｃｈａｎｎｅｌ）、ＳＲ（ｓｃｈｅｄｕｌｉｎｇ  ｒｅｑｕｅｓｔ）、データチャネルまたは制御チャネルを介して送信されることができる。
【００７０】
その代案として、データスケジューリングの存在またはデータスケジューリングの意図が動的に指示されることができる。例えば、ＵＥ  ＲＦ帯域幅にかかわらず制御リソースセットの帯域幅が固定されることができる。ＵＥが制御リソースセットの帯域幅を超えるデータでスケジューリングされると、ＵＥは、自分のＲＦ帯域幅を増加させることができる。ＵＥ  ＲＦ帯域幅が増加される場合、ＵＥは、制御チャネルモニタリングのために次のスロットで自分のＲＦ帯域幅を減少させないことが予想される。ＵＥは、Ｔ個のスロット／サブフレームにわたって（制御リソースセットの帯域幅より大きい）帯域幅を維持することができる。Ｔは、上位階層により構成されることができる。ＵＥが制御リソースセットまたは最小システム帯域幅（または、基本ＰＳＭ帯域幅）の帯域幅を超えるデータを受信すると、ＵＥは、タイマをリセットすることができる。ＵＥが制御リソースセットまたは最小システム帯域幅（または、基本ＰＳＭ帯域幅）の帯域幅を超える範囲をわたって受信することができない場合、ＵＥは、自分の帯域幅を基本ＰＳＭ帯域幅に減少させることができる。
【００７１】
その代案として、ＵＥ電源を速かに終了するために、データがスケジューリングされない場合、制御チャネルモニタリングの遅延が減少されることができる。ＵＥが０〜Ｍの検索空間候補をモニタする必要がある場合、ＵＥは、ＤＬスケジューリングＤＣＩが、例えば、０〜Ｍ／２でのみスケジューリングされると仮定することができる。検索空間候補を制限することによって、制御チャネルデコーディングを完了するための全体遅延が最小化されることができる。
【００７２】
その代案として、制御チャネル送信のための異なるまたは二重または増加された副搬送波間隔が取られ、元の区間と同じＯＦＤＭシンボルカウントまたは同じ区間にわたって制御送信が発生でき、その次の制御チャネルデコーディング時間のために残りの部分が使われることができる。例えば、副搬送波間隔が１５ｋＨｚである場合、３０または６０ｋＨｚのサブキャリア間隔が制御チャネル送信に使われることができる。そして、２個のＯＦＤＭシンボルを介して制御が送信されると、これは１５ｋＨｚ、３０ｋＨｚ及び６０ｋＨｚ副搬送波間隔の２個のＯＦＤＭシンボルを介して依然として送信されることができる。また、増加された副搬送波間隔に対して、要求される数のシンボルが同じに維持されることができるように帯域幅が増加されることができる。データ送信前に制御チャネルデコーディングのためのギャップのために残りのシンボル（例えば、３０ｋＨｚ副搬送波間隔に対して２個、６０ｋＨｚ副搬送波間隔に対して６個）が使われることができる。
【００７３】
その代案として、ＵＥに対して、ＵＥがデータでスケジューリングされるかどうかを指示する周期的または非周期的なセル−共通またはグループ−共通またはＵＥ−特定放送チャネル／信号指示が使われることができる。ＵＥがスケジューリングされたデータが無いことが指示されると、ＵＥは、制御チャネルのみをモニタし、またはパワーセービング状態に対して前述したような動作を取ることができる。速いデコーディング遅延のために信号を伝送する検索空間が制限されることができる。このような指示は、ＵＥがクロス−サブフレーム／スロット／ＴＴＩスケジューリングまたは同じサブフレーム／スロット／ＴＴＩスケジューリングでスケジューリングされるかどうかを含むことができる。
【００７４】
以下では本発明によるパワーセービング状態に対する多様な実施例を説明する。
【００７５】
１．測定
【００７６】
ＵＥがパワーセービング状態であり、またはＵＥ  ＲＦ帯域幅より減少された帯域幅をモニタするよう構成された場合、それによってＲＲＭを処理する必要がある。一般的に、ＵＥは、構成されたＲＲＭ帯域幅（即ち、活性状態と同じＲＲＭ）当たりＲＦ帯域幅を増加させることが許容されることができる。または、ＵＥは、パワーセービング状態のために減少されたＲＦ帯域幅にとどまることが許容されることができ、これはパワーセービング状態及び活性状態で異なるＲＲＭ測定を招くことができる。または、パワーセービング状態でＲＲＭ  ＲＳが送信される周波数領域が異なる。
【００７７】
このような観点で、ＵＥは、ＲＦ再−チューニング（ｒｅｔｕｎｉｎｇ）のための測定ギャップに基づいて測定を実行する必要がある。これはＵＥがＲＲＭ測定のためにＲＦ帯域幅を変更し、または他の周波数をチューニングする場合、パワーセービング状態の周波数領域がＵＥ  ＲＦ帯域幅内にない場合、特に必要である。例えば、ＵＥが１００ＭＨｚをサポートし、システム帯域幅が５００ＭＨｚであり、ＲＲＭ  ＲＳが中心１００ＭＨｚで送信され、ＰＳＭ基本帯域幅がシステム帯域幅の境界で構成される２０ＭＨｚであると仮定する。この場合、ＲＲＭ測定のために、ＵＥは、測定ギャップを必要とする。その代案として、測定ギャップの必要性を最小化するために、中心周波数及び帯域幅の観点で基本ＰＳＭ帯域幅は、ＵＥに対して構成されたＲＲＭ帯域幅と常に整列されることができる。ＵＥがキャリアアグリゲーションで構成され、同じ測定ギャップが適用される異なる搬送波間に異なるヌメロロジーが使われる場合、測定間隔が適用される基本ヌメロロジーを定義しなければならない。例えば、測定ギャップは、絶対時間（例えば、６ｍｓ）にまたはサブフレームに基づいており、またはＰＣｅｌｌ（ｐｒｉｍａｒｙ  ｃｅｌｌ）ヌメロロジー（例えば、６スロット）または測定が発生できる周波数帯域で使われる最小副搬送波間隔またはスロット及びヌメロロジーと共に上位階層により構成されることができる。
【００７８】
ＲＲＭ測定の観点から見ると、パワーセービング状態と活性状態または異なるＵＥ  ＲＦ帯域幅間にＲＲＭ動作が異なる場合、時間／周波数リソース側面で異なるＲＲＭ測定リソースが構成されることができる。例えば、測定が発生できる異なるＲＲＭ帯域幅及び時間位置がパワーセービング状態と活性状態との間に異なるように構成されることができる。また、ＵＥが基本ＰＳＭ帯域幅に対する測定を実行する場合、隣接セル測定を考慮する必要がある。したがって、ＵＥは、構成された測定帯域幅上でサービングセル及び隣接セルからの同期信号を期待することができる。追加的な同期化信号からアンカーサブバンド上のメイン同期化信号間の混乱を避けるために、異なるルートシーケンス、位置及び／または他の情報が使われることができる。ＵＥは、異なる帯域幅で測定する場合に異なるセル検索を実行することができる。
【００７９】
２．無線リンク障害（ＲＬＦ；ｒａｄｉｏ  ｌｉｎｋ  ｆａｉｌｕｒｅ）
【００８０】
ＵＥは、パワーセービング状態と活性状態の両方ともでＲＬＦモニタリングを実行することが予想される。ＲＬＦ測定に対して、不要なＲＬＦトリガ条件を避けるために、ＵＥ動作は、下記の通りである（しかし、これに限定されるものではない）。
【００８１】
−ＵＥは、活性状態に対するＵＥ  ＲＦ帯域幅の測定を実行することができる。ＲＬＦが測定される時間／周波数位置も構成されることができる。
【００８２】
−ＵＥがパワーセービング状態にある場合、ＵＥは、基本ＰＳＭ帯域幅に対する測定を実行することができる。それ以外の場合、ＵＥは、活性状態で構成された帯域幅またはＵＥ  ＲＦ帯域幅に対する測定を実行することができる。必要な場合、二つの測定間に平均を取ることができる。または、別途の報告が考慮されることもできる。
【００８３】
−ＵＥは、活性状態でのみＲＬＦを実行することができる。
【００８４】
−ＵＥは、パワーセービング状態及び活性状態でＲＬＦを個別的に実行することができる。
【００８５】
−ＵＥは、現在状態に対してのみＲＬＦを実行することができる。現在状態がパワーセービング状態であり、ＲＬＦがトリガリングされると、ＵＥは、ネットワークへのＲＬＦ報告をトリガすることができ、ネットワークは、追加ＲＬＦ測定のために活性状態をトリガすることができる。ＲＬＦが活性状態に対してもトリガされると、ネットワークは、ＵＥをハンドオーバすることができる。
【００８６】
３．再−チューニング／ＲＦ調整遅延：
【００８７】
ＵＥがＵＥ  ＲＦ帯域幅をスイッチする場合、帯域幅適応のための遅延が必要である。少なくとも動的帯域幅適応が使われる場合、実際必要な調整遅延にかかわらず最大遅延が仮定される必要がある。最大遅延は、上位階層により構成されることができ、ＵＥによりネットワークに必要な遅延がシグナリングされることができる。
【００８８】
４．リソースブロックグループ（ＲＢＧ；ｒｅｓｏｕｒｃｅ  ｂｌｏｃｋ  ｇｒｏｕｐ）または帯域幅構成
【００８９】
異なる帯域幅が構成される場合、異なるＵＥに対する異なるＵＥ帯域幅間のデータの効率的なマルチプレキシングを整列及びサポートするために、異なるＵＥ  ＲＦ帯域幅間にＲＢＧを整列させることが必要である。一つの接近法は、ＲＢＧがシステム帯域幅に基づいて構成され、各適応されたＵＥ  ＲＦ帯域幅がシステム帯域幅に基づいて構成されたＲＢＧに従うことができると仮定する。ＵＥ  ＲＦ帯域幅に基づいて異なるＲＢＧが使われると、システム帯域幅に基づいてＵＥ帯域幅をＲＢＧの倍数に制限する必要がある。効率的なマルチプレキシングを可能にするために、分散マッピングの観点で、分散マッピングは（例えば、共通データスケジューリングのために）構成されたＵＥ  ＲＦ帯域幅または最小システム帯域幅に制限されることができる。その代案として、分散マッピングが適用される帯域幅は、上位階層により構成されることもできる。共通データスケジューリングの場合、最小帯域幅または基本ＰＳＭ帯域幅が、共通データがスケジューリングされる初期または最小システム帯域幅より大きく構成されることもできる。または、一部構成された共通制御／データスケジューリングタイミングも使われることができ、ＵＥは、共通制御／データを受信するために自分のＲＦ帯域幅を増加させることができる。
【００９０】
５．ＵＬ  ＲＦ帯域幅処理
【００９１】
また、動的帯域幅適応が使われる場合、ＤＬで使われる類似メカニズムがＵＬで使われることができる。しかし、ＤＬでＵＬスイッチングギャップとＵＬ部分との間に帯域幅適応のためのギャップが必要である。ＰＵＳＣＨ（ｐｈｙｓｉｃａｌ  ｕｐｌｉｎｋ  ｓｈａｒｅｄ  ｃｈａｎｎｅｌ）及びＰＵＣＣＨ（ｐｈｙｓｉｃａｌ  ｕｐｌｉｎｋ  ｃｏｎｔｒｏｌ  ｃｈａｎｎｅｌ）またはＰＵＳＣＨ及びＵＣＩ（ｕｐｌｉｎｋ  ｃｏｎｔｒｏｌ  ｉｎｆｏｒｍａｔｉｏｎ）送信が周波数再−チューニングを介した帯域幅適応を要求することができる異なる帯域幅で実行されることができるかどうかを明確にする必要がある。この機能がサポートされると、ＰＵＳＣＨとＰＵＣＣＨとの間に必要なギャップも必要である。ＴＤＤの場合、一般的にＤＬとＵＬとの間に同じ中心を維持することが好ましく、したがって、ＤＬとＵＬとの間の帯域幅適応は、同じ中心周波数を維持しながら実行されることができる。パワーセービング状態が構成されると、別途に／独立的に構成されない場合、ＤＬとＵＬとの間に同じ帯域幅が使われることができる。ＵＣＩのリソース位置は、一般的にＵＣＩ送信またはＵＬ送信のために構成されたＵＬ帯域幅によって異なる。例えば、ＰＵＣＣＨリソースが構成されたＵＥ帯域幅またはシステム帯域幅の境界で構成される場合、構成されたＵＥ帯域幅またはシステム帯域幅の境界でのＰＵＣＣＨリソースを示すための同じ、または個別的なオフセットが構成されることができる。即ち、ＰＵＣＣＨまたはＵＣＩ送信のためのベースリソースは、異なるＵＥ  ＲＦ帯域幅間で異なる。少なくとも対スペクトラムの場合、ＤＬとＵＬとの間に異なる帯域幅が使われることができる。例えば、ＵＬヘビー（ｈｅａｖｙ）ケースで、ＵＬ帯域幅がＤＬ帯域幅に比べて大きく構成されることができる。即ち、パワーセービング状態は、ＤＬ及びＵＬ別に独立的に構成されることができる。
【００９２】
６．時間／周波数追跡（ｔｒａｃｋｉｎｇ）
【００９３】
追跡ＲＳは、特定システム帯域幅内で周期的に送信されることが予想される。ＵＥ帯域幅が適応される場合、下記のオプションが考慮されることができる。
【００９４】
−追跡性能を維持することができるようにＵＥ帯域幅が追跡ＲＳ帯域幅より大きい。
【００９５】
−帯域幅が必要な追跡ＲＳ帯域幅より小さい場合、ＵＥは、追跡を実行するために帯域幅を変更することができる。
【００９６】
−適応されたＵＥ帯域幅内で性能を克服するために、より高密度のまたは付加的なまたは個別的な追跡ＲＳが送信されることができる。
【００９７】
−性能問題がない場合、ＵＥは、構成されたＢＷＰ（または、活性ＢＷＰ）でのみ追跡を実行することができる。
【００９８】
図９は、本発明の一実施例に係るＵＥによるパワーセービング状態で動作する方法を示す。前述した本発明は、この実施例に適用されることができる。
【００９９】
ステップＳ１００において、ＵＥは、活性状態に進入する。ステップＳ１１０において、ＵＥは、活性状態に対して第１のＲＦ帯域幅をモニタする。
【０１００】
ステップＳ１２０において、ＵＥは、パワーセービング状態に進入する。ステップＳ１３０において、ＵＥは、パワーセービング状態に対して第１のＲＦ帯域幅内でＭ  ＭＨｚに制限される第２のＲＦ帯域幅をモニタする。
【０１０１】
第１のＲＦ帯域幅は、最大ＵＥ  ＲＦ帯域幅に対応し、またはＭ１  ＭＨｚに対応することができ、これはネットワークにより構成され、第２のＲＦ帯域幅より広い。第２のＲＦ帯域幅は、ネットワークにより構成された基本最小帯域幅に対応し、または初期システムサブバンドに対応できる。第２のＲＦ帯域幅の周波数位置は、ネットワークにより構成されることができる。
【０１０２】
パワーセービング状態が活性化される間を示すタイマがネットワークにより構成されることができる。または、ＵＥがＤＲＸで構成された場合、ＵＥは、自発的にパワーセービング状態に進入できる。または、少なくてもＫ回スケジューリングされたデータがない制御チャネルをモニタしたことをＵＥが検出した場合、ＵＥは、自発的にパワーセービング状態になることができる。
【０１０３】
活性状態とパワーセービング状態に対して異なるヌメロロジーのセットが使われることができる。活性状態及びパワーセービング状態に対して異なる制御チャネルリソースのセットが各々使われることができる。ＵＥ  ＲＦ帯域幅にかかわらず制御リソースセットの帯域幅は、固定されることができる。
【０１０４】
ＵＥがパワーセービング状態にある間に、ＲＲＭ測定は、第１のＲＦ帯域幅で実行されることができる。ＲＢＧは、システム帯域幅に基づいて構成されることができ、第１のＲＦ帯域幅及び第２のＲＦ帯域幅は、ＲＢＧに従うことができる。ＤＬ及びＵＬの各々に対して第２のＲＦ帯域幅が各々使われることができる。ＰＵＣＣＨ送信のための第２のＲＦ帯域幅によってＰＵＣＣＨのリソース位置が構成されることができる。
【０１０５】
図１０は、本発明の一実施例を具現するための無線通信システムを示す。
【０１０６】
ネットワークノード８００は、プロセッサ８１０、メモリ８２０及び送受信部８３０を含む。プロセッサ８１０は、本明細書で説明された提案された機能、手順及び／または方法を具現するように構成されることができる。無線インターフェースプロトコルの階層がプロセッサ８１０で具現されることができる。メモリ８２０は、プロセッサ８１０と動作可能に結合され、プロセッサ８１０を動作させるための多様な情報を格納する。送受信部８３０は、プロセッサ８１０と動作可能に結合され、無線信号を送信及び／または受信する。
【０１０７】
ＵＥ９００は、プロセッサ９１０、メモリ９２０及び送受信部９３０を含む。プロセッサ９１０は、本明細書で説明された提案された機能、手順及び／または方法を具現するように構成されることができる。無線インターフェースプロトコルの階層がプロセッサ９１０で具現されることができる。メモリ９２０は、プロセッサ９１０と動作可能に結合され、プロセッサ９１０を動作させるための多様な情報を格納する。送受信部９３０は、プロセッサ９１０と動作可能に結合され、無線信号を送信及び／または受信する。
【０１０８】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信部８３０、９３０は、無線周波数信号を処理するためのベースバンド回路を含むことができる。実施例がソフトウェアで具現される時、前述した技法は前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。
【０１０９】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、他のステップと、前述と異なる順序にまたは同時に発生できる。また、当業者であれば、流れ図に示すステップが排他的でなく、他のステップが含まれるか、流れ図の１つまたはそれ以上のステップが本発明の範囲に影響を及ぼさずに削除可能であることを理解することができる。
【図１】
2019531034.tif 000003
【図２】
2019531034.tif 000004
【図３】
2019531034.tif 000005
【図４】
2019531034.tif 000006
【図５】
2019531034.tif 000007
【図６】
2019531034.tif 000008
【図７】
2019531034.tif 000009
【図８】
2019531034.tif 000010
【図９】
2019531034.tif 000011
【図１０】
2019531034.tif 000012
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
無線通信システムにおける端末（ＵＥ）により実行される方法において、
第１のＲＦ帯域幅をモニタするステップと、
タイマを開始するステップと、
前記タイマが満了する場合、第２のＲＦ帯域幅をモニタするステップと、を含み、
前記第２のＲＦ帯域幅は、基本サブバンドであることを特徴とする、方法。
【請求項２】
前記第１のＲＦ帯域幅は、ネットワークにより構成される、請求項１に記載の方法。
【請求項３】
前記第１のＲＦ帯域幅は、最大ＵＥ  ＲＦ帯域幅である、請求項２に記載の方法。
【請求項４】
前記第１のＲＦ帯域幅は、前記第２のＲＦ帯域幅より広い、請求項１に記載の方法。
【請求項５】
前記第２のＲＦ帯域幅は、ネットワークにより構成される、請求項１に記載の方法。
【請求項６】
前記第２のＲＦ帯域幅は、初期システムサブバンドである、請求項１に記載の方法。
【請求項７】
前記第２のＲＦ帯域幅の周波数位置は、ネットワークにより構成される、請求項１に記載の方法。
【請求項８】
制御信号またはデータの少なくとも一つが、前記第１のＲＦ帯域幅にスケジュールされる、請求項１に記載の方法。
【請求項９】
前記第１のＲＦ帯域幅をモニタする間に、制御信号が前記第１のＲＦ帯域幅で受信される場合、前記タイマが再開始される、請求項１に記載の方法。
【請求項１０】
制御リソースセットの帯域幅は、ＵＥ  ＲＦ帯域幅にかかわらず固定される、請求項１に記載の方法。
【請求項１１】
前記第１のＲＦ帯域幅上でＲＲＭ測定が実行される、請求項１に記載の方法。
【請求項１２】
システム帯域幅またはＵＥ間の共通ＰＲＢに基づいてリソースブロックグループ（ＲＢＧ）が構成され、
前記第１のＲＦ帯域幅と前記第２のＲＦ帯域幅は、前記ＲＢＧに従う、請求項１に記載の方法。
【請求項１３】
前記第２のＲＦ帯域幅は、ダウンリンク（ＤＬ）及びアップリンク（ＵＬ）の両方の各々に対して使われる、請求項１に記載の方法。
【請求項１４】
ＰＵＣＣＨのリソース位置は、ＰＵＣＣＨ送信のための前記第２のＲＦ帯域幅によって構成される、請求項１に記載の方法。
【請求項１５】
無線通信システムにおける端末（ＵＥ）において、
メモリと、
送受信部と、
前記メモリ及び前記送受信部と連結されるプロセッサと、を含み、
前記プロセッサは、
活性状態に入り、
第１のＲＦ帯域幅をモニタするように前記送受信部を制御し、
タイマを開始し、及び
前記タイマが満了する場合、第２のＲＦ帯域幅をモニタするように前記送受信部を制御し、
前記第２のＲＦ帯域幅は、基本サブバンドであることを特徴とする、端末。
【国際調査報告】
2019531034.tif 000013
2019531034.tif 000014